(57)【特許請求の範囲】
【請求項１】
水槽本体内の水面に対して上側に離間した位置に、該水面の略全面を覆う状態に水受け板が配置されるとともに、
前記水受け板は、該水受け板上に供給された水を略水平方向に受け流して前記水槽本体内へ落下させるものであり、
前記水受け板に対して上側に離間した位置に、前記水槽本体用の蓋体が配置され、前記水槽本体の外側から前記水受け板と前記蓋体との間の隙間を介して前記水受け板上を流れる水が見えるように構成されていることを特徴とする観賞魚用水槽。
【請求項２】
前記水受け板は、前記水槽本体の上開口周縁よりも低い位置に配置されており、
前記蓋体は、前記水槽本体の上開口周縁よりも高い位置に、前記水槽本体の上開口周縁との間に上下方向に第１隙間が生じる態様にして配置され、
前記第１隙間は、第１隙間から餌を前記水受け板上に投入可能である請求項１記載の観賞魚用水槽。
【請求項３】
前記水受け板は光透性を有しており、
前記水受け板に対して上側に離間した位置であって且つ前記蓋体の内部に、前記水槽本体の内側に向けて前記水槽本体内の水を照明をする照明具が配置されている請求項１又は２記載の観賞魚用水槽。
【請求項４】
前記水受け板の上面は、水の流れ方向において凹凸状に形成され、これにより、前記水受け板上を流れる水が凹凸によって乱されて前記照明具からの照明光が揺らぐものとなされている請求項３記載の観賞魚用水槽。
【請求項５】
前記水受け板は、該水受け板上に供給された水を前記水槽本体内へすだれ状乃至膜状に落下させるものである請求項１〜４のいずれかに記載の観賞魚用水槽。
【請求項６】
前記水受け板の上面には、水の流れ方向に延びた凸条が、複数個、水の流れ方向に対して略直交する方向に間隔をおいて並んで形成されている請求項５記載の観賞魚用水槽。
【請求項７】
前記水槽本体内の水を水槽本体の後部側から吸い込んで濾過する濾過器を具備しており、
前記水受け板は、該水受け板上に供給される水として、前記濾過器により濾過された濾過水を水受け板上における水槽本体の後部側から前部側に受け流して水受け板の前端縁から水槽本体内の前部へ落下させるものである請求項１〜６のいずれかに記載の観賞魚用水槽。
【発明の詳細な説明】
【技術分野】
【０００１】
本発明は観賞魚用水槽に関する。
【背景技術】
【０００２】
一般家庭等では、金魚や熱帯魚等の観賞魚は一般的に濾過器や電気ヒータ等を具備した観賞魚用水槽内で飼育されている。この種の観賞魚用水槽では、その水槽本体内の水に酸素を取り込ませるため、水槽本体内の水中に気泡を発生させる空気噴出具を配置したり、あるいは特開平３−１９５４３４号公報（特許文献１）に記載のように水槽本体内の水面よりも上側の位置から水を水面上に落下させてたりすることが行われている。
【先行技術文献】
【特許文献】
【０００３】
【特許文献１】特開平３−１９５４３４号公報
【発明の概要】
【発明が解決しようとする課題】
【０００４】
このように、観賞魚用水槽には水に酸素を取り込ませる装置を必要とすることが多い。さらに、観賞魚用水槽は室内のインテリアとして設置されることも多く、そのため興趣性に富んだものが好まれる。
【０００５】
本発明は、上述した技術背景に鑑みてなされたもので、その目的は、水に酸素を確実に取り込ませることができ且つ興趣性に富んだ観賞魚用水槽を提供することにある。
【課題を解決するための手段】
【０００６】
本発明は以下の手段を提供する。
【０００７】
［１］  水槽本体内の水面に対して上側に離間した位置に、該水面の略全面を覆う状態に水受け板が配置されるとともに、
前記水受け板は、該水受け板上に供給された水を略水平方向に受け流して前記水槽本体内へ落下させるものであることを特徴とする観賞魚用水槽。
【０００８】
［２］  前記水受け板は、該水受け板上に供給された水を前記水槽本体内へすだれ状乃至膜状に落下させるものである前項１記載の観賞魚用水槽。
【０００９】
［３］  前記水受け板の上面には、水の流れ方向に延びた凸条が、複数個、水の流れ方向に対して略直交する方向に間隔をおいて並んで形成されている前項２記載の観賞魚用水槽。
【００１０】
［４］  前記水受け板に対して上側に離間した位置に、前記水槽本体用の蓋体が配置されている前項１〜３のいずれに記載の観賞魚用水槽。
【００１１】
［５］  前記水受け板は光透性を有しており、
前記水受け板に対して上側に離間した位置に、前記水槽本体の内側に向けて照明をする照明具が配置されている前項１〜４のいずれかに記載の観賞魚用水槽。
【００１２】
［６］  前記水槽本体内の水を水槽本体の後部側から吸い込んで濾過する濾過器を具備しており、
前記水受け板は、該水受け板上に供給される水として、前記濾過器により濾過された濾過水を水受け板上における水槽本体の後部側から前部側に受け流して水受け板の前端縁から水槽本体内の前部へ落下させるものである前項１〜５のいずれかに記載の観賞魚用水槽。
【００１３】
［７］  前記水受け板の上面は、水の流れ方向において凹凸状に形成されている前項１〜６のいずれかに記載の観賞魚用水槽。
【発明の効果】
【００１４】
本発明は以下の効果を奏する。
【００１５】
上記［１］記載の観賞魚用水槽では、水受け板が、該水受け板上に供給された水を略水平方向に受け流して水槽本体内へ落下させるものであることにより、水の空気との接触面積及び接触時間を増加させることができ、もって水に酸素を確実に取り込ませることができる。
【００１６】
さらに、この水受け板は、水槽本体内の水面に対して上側に離間した位置に水槽本体内の水面の略全面を覆う状態に配置されているから、この観賞魚用水槽は従来の水槽にはない新規な構造を有しており、趣向性が高められている。
【００１７】
上記［２］記載の観賞魚用水槽では、水受け板は、該水受け板上に供給された水を水槽本体内へすだれ状乃至膜状に落下させるものであるから、水の空気との接触面積及び接触時間を更に増加させることができ、もって水に酸素を更に確実に取り込ませることができるし、趣向性を更に高めることができる。
【００１８】
上記［３］記載の観賞魚用水槽では、水受け板の上面に水の流れ方向に延びた凸条が、複数個、水の流れ方向に対して略直交する方向に間隔をおいて並んで形成されていることにより、水受け板から落下する水をすだれ状乃至膜状に確実に実現することができる。
【００１９】
上記［４］記載の観賞魚用水槽では、空気中を漂う埃等が水受け板上に落下してここを流れる水と一緒に水槽本体内に流入するのを水槽本体用の蓋体によって防止することができる。
【００２０】
しかも、この蓋体は、水受け板に対して上側に離間した位置に配置されているので、水槽本体の外側から水受け板と蓋体との間の隙間を介して水受け板上を流れる水や水受け板から落下する水を見ることができる。これにより、趣向性を更に高めることができる。
【００２１】
上記［５］記載の観賞魚用水槽では、光透性を有する水受け板の上側から照明具により水槽本体の内側に向けて照明をすると、その照明光が水受け板上を流れる水及び水受け板を順次透過するので、水槽本体内の水を照明することができる。さらに、水受け板上を流れる水によって照明光が揺らぐので、照明効果を向上させることができる。
【００２２】
上記［６］記載の観賞魚用水槽では、水槽本体内の水が該水槽本体の後部側から濾過器により吸い込まれる。そして、吸い込まれた水が該濾過器により濾過され、この濾過水が水受け板上に供給されて該水受け板上を水槽本体の後部側から前部側に流れて水受け板の前端縁から水槽本体内の前部へ落下される。そして、落下した濾過水は濾過器により水槽本体の後部側へ吸い寄せられて再度吸い込まれる。このように、水槽本体内の水は、その後部側から濾過器及び水受け板上を順次通過して水槽本体内の前部に落下した後、水槽本体内の後部側へ吸い寄せられるという順路で循環する。ここで、水受け板の前端縁から落下する濾過水の落下位置は水槽本体内の前部であり、一方、濾過器により吸い込まれる水槽本体内の水の吸い込み位置は水槽本体内の後部側であるから、落下位置と吸い込み位置との距離は長い。したがって、水槽本体内に落下した濾過水がその落下位置から吸い込み位置に到達するまでの間に、水槽本体内の水の略全部が濾過器により吸い込まれて濾過されることになるため、水槽本体内の水に対して効率良く濾過することができるし、更に、水槽本体内の水に対して酸素をより一層確実に取り込ませることができる。
【００２３】
上記［７］記載の観賞魚用水槽では、水受け板の上面が水の流れ方向において凹凸状に形成されているので、水受け板上を流れる水が凹凸によって乱され、これにより水に酸素を更に一層確実に取り込ませることができる。さらに、もし水受け板が光透性を有するものでありその上側に水槽本体の内側に向けて照明をする照明具が配置されている場合には、水受け板上を流れる水が凹凸によって乱されることで照明光が更に揺らぐので、照明効果を更に向上させることができる。
【図面の簡単な説明】
【００２４】
【図１】図１は、本発明の一実施形態に係る観賞魚用水槽の一部切欠き斜視図である。
【図２】図２は、同水槽の後面図である。
【図３】図３は、同水槽の断面図である。
【図４】図４は、同水槽の分解斜視図である。
【図５】図５は、同水槽の水受け板の斜視図である。
【図６】図６は、同水槽の水槽本体内に濾過器を配置した状態の斜視図である。
【図７】図７は、同水槽の水槽本体内に更に水受け板を配置した状態の斜視図である。
【図８】図８は、水受け板の一変形形態の斜視図及びＺ部分の拡大図である。
【発明を実施するための形態】
【００２５】
次に、本発明の一実施形態について図面を参照して以下に説明する。
【００２６】
本発明の一実施形態に係る観賞魚用水槽１は、図１〜４に示すように、水槽本体２、水槽本体２用の蓋体３０、水受け板１０、濾過器２０などを具備している。
【００２７】
水槽本体２は、前板３、左板４、右板４、後板５及び底板７を有する上方が開口した四角箱状のものである。これら前板３、左右各板４、４、後板５及び底板７は、水槽本体２内の水４０が水槽本体２の外側に漏出しないように水４０を遮蔽するものである。前板３と左右各板４、４はそれぞれ透明のプラスチック又はガラス製である。後板５は透明又は不透明のプラスチック製である。また、図３に示すように、底板７上には底砂７ａが敷設されている。
【００２８】
さらに、この水槽本体２では、図３及び４に示すように、後板５の上板部５ａはその下板部５ｂよりも後側に配置されるとともに、上板部５ａと下板部５ｂとが水平状の段板部５ｃを介して互いに一体に連結されており、そのため後板５の上板部５ａと下板部５ｂとの間に段差が生じている。これにより、水槽本体２内における後板５の上部（即ち水槽本体２内の後部側）に、段板部５ｃよりも上側の段差空間からなる濾過器収容空間６が水槽本体２の内向き及び上向きに開いて形成されている。さらに、この濾過器収容空間６の少なくとも下部は、水槽本体２内の水面４１よりも下側に配置されており、本実施形態では、濾過器収容空間６の下部だけが水槽本体２内の水面４１よりも下側に配置される一方、濾過器収容空間６の上部は水面４１よりも上側に配置されている。
【００２９】
さらに、この後板５（詳述すると後板５の上板部５ａ及び下板部５ｂ）に対して後側に離間した位置には、後板５の後外面を覆う後カバー体８が配置されるとともに、この後カバー体８の左右各端部が水槽本体２の左右各板４、４の後端部に分離可能に固定され、更に、この後カバー体８の左右各端部の上縁部が水槽本体２の左右各板４、４の後端部の上縁部に分離可能に固定されている。したがって、図３に示すように、後板５と後カバー体８との間には隙間が形成されている。
【００３０】
濾過器２０は、該濾過器２０の少なくとも下部が水槽本体２内の水４０中に浸漬される状態に配置されて使用される薄型のものであり、図３に示すように、そのプラスチック製ケーシング２１の内部には濾過材２３及び水循環水中ポンプ２２が収納配置されている。なお本発明では、水循環ポンプ２２はケーシング２１の内部に必ずしも収容されていることを要せず、例えばケーシング２１に付設されていても良い。そして、図３、４及び６に示すように、この濾過器２０が水槽本体２内における後板５の上部に形成された上記濾過器収容空間６内に上方から取り出し可能に縦置きに収容配置されている。この収容状態において、濾過器２０は水槽本体２の後板５の段板部５ｃ上に載置されるとともに、後カバー体８の左右各端部の上縁部に設けられた前後一対の保持片８ａ、８ａ間に上方から濾過器２０の左右各端部がスライド挿入されることで濾過器２０が濾過器収容空間６から脱落しないように保持されている。こうして、濾過器２０は水槽本体２内の後部に取り出し可能に配置されている。さらに、濾過器２０のケーシング２１の前面２０ａ（即ち水槽本体２の内方に向いた面）は、後板５の下板部５ｂの内面に対して上下方向に略面一（つらいち）に連なっている。
【００３１】
さらに、図４及び６に示すように、この濾過器２０のケーシング２１の前面２０ａの下部には、該ケーシング２１内の水循環ポンプ２２（図３参照）の吸引力によって水槽本体２内の水４０をケーシング２１内に吸い込む際に水４０が通過する複数のスリット状吸い込み口２４が設けられている。この吸い込み口２４から吸い込まれた水は、水循環ポンプ２２の動力によってケーシング２１内の濾過材２３を通過することで濾過されて濾過水４０ａとなるとともに、この濾過水４０ａがケーシング２１の前面２０ａの上端部に形成された幅広の吐出口２５から水槽本体２内において前向きに吐出される。吐出口２５の幅寸法は、水槽本体２の左右両板４、４間の幅寸法と略同寸に設定されている。
【００３２】
水受け板１０は、光透性を有する無色透明プラスチック製のものであり、図３及び７に示すように、水槽本体２内の水面４１に対して上側に離間するとともに水槽本体２の上開口周縁２ａよりも若干低い高さ位置に、該水面４１の略全面（詳述すると、平面視において水面４１の全面積に対して８０％以上（好ましくは９０％以上）を覆う状態に略水平に配置されている。
【００３３】
この水受け板１０は、その上面１１上に供給された水４０を略水平方向に受け流して水槽本体２内へすだれ状乃至膜状に落下させるものである。本実施形態では、図１及び３に示すように、水受け板１０は、その上面１１上に供給される水４０として、濾過器２０の吐出口２５から吐出された濾過水４０ａを、水受け板１０の上面１１上における水槽本体２の後部側から前部側へ受け流して水受け板１０の前端縁１９から水槽本体２内の水面４１の前部上へ膜状に落下させるものである。なお、水受け板１０の前端縁１９と水槽本体２の前板３との間には隙間が水平方向に生じている。
【００３４】
図５に示すように、水受け板１０の左右両端縁には左右一対の立ち上がり状の側板部１５ａ、１５ａが該水受け板１０の前後方向に連続して一体形成されている。水受け板１０の後端縁には後板部１５ｂが左右方向に連続して立ち上がり状に一体形成されている。さらに、左右各側板部１５ａの上端部の前部及び後部には、それぞれ外側方突出状の係止片１６、１６が一体形成されている。そして、図７に示すように、これらの係止片１６が水槽本体２の左右各板４、４の上縁部及び後カバー体８の左右各端部の上縁部に上方から係脱可能に係止されており、これにより、水受け板１０が水槽本体２内の所定高さ位置に取外し可能に配置されている。
また、図３及び５に示すように、水受け板１０の上面１１の後部には、濾過水４０ａを一時的に溜める貯留凹部１２が水受け板１０の左右両側板部１５ａ、１５ａ間の全領域に亘って形成されている。また、水受け板１０の上面１１の前部における左右方向中間部には、貯留凹部１２内に溜まった濾過水４０ａが流出する幅広の溝部１３が貯留凹部１２から水受け板１０の前端縁１９まで僅かに下勾配状に傾斜して且つ連続して形成されている。この溝部１３の深さは貯留凹部１２の深さよりも若干浅くなっており、またこの溝部１３の幅寸法は、水受け板１０の左右両側板部１５ａ、１５ａ間の幅寸法に対して約１／３〜１／２倍に設定されている。さらに、図５に示すように、この溝部１３は、平面視において恰も川のように左右方向の一方側に僅かに円弧状に曲がって形成されている。さらに、水受け板１０の上面１１における溝部１３の左右両外側部には、それぞれ水草を模した装飾模様１７が刻設されている。
【００３５】
さらに、この水受け板１０の上面１１において、図５に示すように、貯留凹部１２の底面１２ａと溝部１３の底面１３ａとからなる領域のうち少なくとも溝部１３の底面１３ａには、水受け板１０の後部側（即ち貯留凹部１２側）から水の流れ方向（即ち水槽本体２及び水受け板１０の前後方向）に延びた断面円弧状又は三角形状の分流用凸条１４が、複数個、水の流れ方向に対して略直交する方向（即ち水槽本体２及び水受け板１０の左右方向）に間隔をおいて並んで形成されている。この各凸条１４は、水受け板１０の上面１１上に供給された濾過水４０ａが貯留凹部１２から溝部１３内を流れる際に濾過水４０ａを各凸条１４の両側に分流させることで、該溝部１３内を流れる濾過水４０ａの流量について溝部１３の幅方向における均一化を図るためのものである。さらに、各凸条１４の下流端（即ち各凸条１４の前端）は、水受け板１０の前端縁１９よりも若干後側に位置しており、これにより、溝部１３内における互いに隣り合う２つの凸条１４、１４間を流れる分流水が水受け板１０の前端縁１９から落下する際に隣りの分流水と合流して確実に膜状に落下しうるものとなされている。なお、もし各凸条１４の下流端（即ち各凸条１４の前端）が水受け板１０の前端縁１９よりも後側ではなく水受け板１０の前端縁１９に位置している場合には、溝部１３内における互いに隣り合う２つの凸条１４、１４間を流れる分流水は水受け板１０の前端縁１９から落下する際に隣りの分流水と殆ど合流せず、すだれ状（櫛歯状）に落下するものとなる。
【００３６】
蓋体３０は、プラスチック製のものであり、図１及び３に示すように、水受け板１０に対して上側に離間した高さ位置であって更には水槽本体２の上開口周縁２ａよりも上側の高さ位置に、水槽本体２の後部側から前方へ水槽本体２の上開口を概ね覆うように軒（のき）状に延びて略水平に配置されている。この状態において、蓋体３０と水槽本体２との間には上下方向に第１隙間５１が生じている。さらに、水槽１の平面視において、蓋体３０の外周縁における前縁部３０ａが水槽本体２の上開口周縁２ａにおける前縁部２ｂよりも内側に配置されており（図３参照）、これにより、蓋体３０の外周縁における前縁部３０ａと水槽本体２の上開口周縁２ａにおける前縁部２ｂとの間に、第２隙間５２が水平方向に生じている。
【００３７】
さらに、この蓋体３０は、水槽本体２の後端部（詳述すると後カバー体８）の上端部に分離可能に取り付けられている。
【００３８】
また、図３に示すように、この蓋体３０の内部（即ち、水受け板１０に対して上側に離間した位置）には、水槽本体２の内側に向けて照明をする照明具３１が配置されている。この照明具３１は、詳述すると照明光源として複数のＬＥＤを有するもの、即ちＬＥＤ照明具であり、蓋体３０の上面に設けられた円盤状の調光操作ダイヤル３３を手で回転させることでその光量（明るさ）を調整しうるように構成されている。なお、３４は、ダイヤル３３を操作することで調光された照明具３１の調光状態を表示する表示部である。３２は、照明具３１についての防滴用透光板である。
【００３９】
本実施形態の観賞魚用水槽１では、図３に示すように、水槽本体２内の水４０中に観賞魚（図示せず）が飼育されており、この水槽本体２内の水４０は該水槽本体２内の後部側から濾過器２０（ケーシング２１）内の水循環ポンプ２２の吸引力によって吸い込み口２４（図４及び６参照）を介して濾過器２０内部に吸い込まれる。吸い込まれた水４０は、濾過器２０内の濾過材２３を通過することで濾過されて清浄な水、即ち濾過水４０ａとなる。そして、この濾過水４０ａは水循環ポンプ２２の動力によって濾過器２０の吐出口２５から吐出されて、水受け板１０の上面１１上における水槽本体２の後部側、即ち貯留凹部１２内へ供給される。供給された濾過水４０ａは、水受け板１０の貯留凹部１２内の底面１２ａで受けられて該貯留凹部１２内に一時的に溜められてから連続的に溝部１３内を前部側へ流れる。そして、溝部１３内を流れる濾過水４０ａが水受け板１０の前端縁１９から膜状に水槽本体２内の水面４１の前部上へ落下する。落下した濾過水４０ａは、水槽本体２内の水４０と混ざりながら濾過器２０内の水循環ポンプ２２の吸引力によって水槽本体２内の後部側へ吸い寄せられて再度、濾過器２０内に吸い込まれる。このように水槽本体２内の水４０は循環する。
【００４０】
而して、本実施形態の観賞魚用水槽１は次のような利点がある。
【００４１】
水受け板１０は、該水受け板１０上（即ち水受け板１０の上面１１上）に供給された水４０（濾過水４０ａ）を略水平方向に受け流して水槽本体２内へ落下させるものであるから、水４０の空気との接触面積及び接触時間を増加させることができ、もって水４０に酸素を確実に取り込ませることができる。
【００４２】
さらに、この水受け板１０は、水槽本体２内の水面４１に対して上側に離間した位置に水槽本体２内の水面４１の略全面を覆う状態に配置されているから、この観賞魚用水槽１は従来の水槽にはない新規な構造を有しており、趣向性が高められている。
【００４３】
また、水受け板１０は、該水受け板１０上に供給された水４０（濾過水４０ａ）を水槽本体２内へ膜状に落下させるものであるから、水４０の空気との接触面積及び接触時間を更に増加させることができ、もって水４０に酸素を更に確実に取り込ませることができるし、趣向性を更に高めることができる。
【００４４】
さらに、水受け板１０の上面１１に水４０（濾過水４０ａ）の流れ方向に延びた凸条１４が、複数個、水の流れ方向に対して略直交する方向に間隔をおいて並んで形成されていることにより、水受け板１０から落下する水４０をすだれ状乃至膜状に確実に実現することができる。
【００４５】
また、水受け板１０に対して上側に離間した位置に、水槽本体２用の蓋体３０が配置されているので、水槽１の外側において空気中を漂う埃などが水受け板１０上に落下してここを流れる水４０（濾過水４０ａ）と一緒に水槽本体２内へ流入するのをこの蓋体３０によって防止することができる。
【００４６】
しかも、この蓋体３０は、水受け板１０に対して上側に離間した位置に配置されているので、水槽本体２の外側から水受け板１０と蓋体３０との間の隙間を介して水受け板１０上を流れる水４０や水受け板１０から落下する膜状の水４０を見ることができる。これにより、趣向性を更に高めることができる。
【００４７】
その上、蓋体３０は、水槽本体２の上開口周縁２ａよりも高い位置に配置されているので、観賞魚に餌を与える際に、わざわざ蓋体３０を水槽本体２から取り外さなくても水槽本体２の上開口周縁２ａと蓋体３０との間の第１隙間５１から餌を水受け板１０上に投入すれば餌が水受け板１０上を流れる水４０（濾過水４０ａ）と一緒に水槽本体２内に落下するので、観賞魚への給餌を容易に行うことができる。さらに、水槽本体２内の水４０の交換を行う際には、蓋体３０を外さなくても第１隙間５１から水換えポンプ（図示せず）を水槽本体２内に差し込んで水４０の交換を行うことができるので、水４０の交換作業を容易に行うことができる。その上、水槽本体２内の水面４１に第１隙間５１から流入した外気が接触することにより水４０の熱が逃げるので、水温の上昇を抑制することができる。
【００４８】
しかも、蓋体３０の外周縁の前縁部３０ａと水槽本体２の上開口周縁２ａの前縁部２ｂとの間にも、第２隙間５２が水平方向に生じているので、水４０の交換作業を更に容易に行うことができるし、水温の上昇を確実に抑制することができるし、給餌作業を更に容易に行うことができる。しかも、蓋体３０を外さなくても、観賞魚が餌を食べている様子を水槽本体２内の水面４１の上側から第２隙間５２を通じて見ることができる。
【００４９】
また、水受け板１０は光透性を有するものであり、この水受け板１０に対して上側に離間した位置（本実施形態では蓋体３０の内部）に照明具３１が配置されているので、水受け板１０の上側から照明具３１により水槽本体２の内側に向けて照明をすると、その照明光が水受け板１０上を流れる水４０及び水受け板１０を順次透過する。そのため、水槽本体２内の水４０を照明することができるし、更には、水受け板１０上を流れる水４０によって照明光が揺らぐので、照明効果を向上させることができる。
【００５０】
また、水槽本体２内の後部として、水槽本体２内における後板５の上部に形成された濾過器収容空間６内には、水槽本体２内の水４０を水槽本体２の後部側から吸い込んで濾過する濾過器２０が配置されており、水受け板１０は、該水受け板１０上に供給される水４０として、濾過器２０により濾過された濾過水４０ａを水受け板１０上における水槽本体２の後部側から前部側に受け流して水受け板１０の前端縁１９から水槽本体２内の水面４１の前部上へ落下させるものであるから、上述したように、水槽本体２内の水４０は循環するようになる。ここで、水受け板１０の前端縁１９から落下する濾過水４０ａの落下位置は水槽本体２内の前部であり、一方、濾過器２０により吸い込まれる水槽本体２内の水４０の吸い込み位置（即ち濾過器２０の吸い込み口２４の位置）は水槽本体２内の後端部であるから、落下位置と吸い込み位置との距離は長い。したがって、水槽本体２内に落下した濾過水４０ａがその落下位置から吸い込み位置に到達するまでの間に、水槽本体２内の水４０の略全部が濾過器２０により吸い込まれて濾過されることになるため、水槽本体２内の水４０に対して効率良く濾過することができるし、更に、水槽本体２内の水４０に対して酸素をより一層確実に取り込ませることができる。
【００５１】
図８は、上記実施形態の観賞魚用水槽１に用いられた水受け板１０の一変形形態を説明するための図である。同図において、１０Ａは本変形形態の水受け板である。以下、本変形形態の水受け板１０Ａの構成について上記実施形態の水受け板１０との相異点を中心に説明する。
【００５２】
本変形形態の水受け板１０Ａでは、水４０（濾過水４０ａ）は、その上面１１上の全面に亘って後部側から前部側へ流れて水受け板１０Ａの前端縁１９から膜状に水槽本体２内の水面４１の前部上に落下するものである。さらに、この水受け板１０Ａの上面１１には、多数の花びらや葉を模した装飾模様１７Ａが略全面に亘って刻設されており、これにより、水受け板１０Ａの上面１１が水の流れ方向において凹凸状に形成されている。
【００５３】
本変形形態の水受け板１０Ａによれば、水受け板１０Ａの上面１１が水の流れ方向に対して凹凸状に形成されているので、水受け板１０Ａの上面１１上を流れる水４０（濾過水４０ａ）が微細な凹凸によって乱され、これにより水４０に酸素を更に一層確実に取り込ませることができる。しかも、水受け板１０Ａは光透性を有するものであるから、水受け板１０Ａの上面１１上を流れる水４０が凹凸によって乱されることで照明具３１からの照明光が更に揺らぐので、照明効果を更に向上させることができる。
【００５４】
なお本発明では、上記実施形態の水受け板１０の上面１１としての貯留凹部１２の底面１２ａ及び溝部１３の底面１３ａに、本変形形態の水受け板１０Ａのように装飾模様１７Ａが刻設されることによって、これらの底面１２ａ、１３ａが水の流れ方向において凹凸状に形成されていても良く、この場合には、上記実施形態の水受け板１０のよる効果に加えて本変形形態の水受け板１０Ａによる効果が付与されるものとなる。
【００５５】
以上で本発明の実施形態を説明したが、本発明は上記実施形態及び変形形態に限定されるものではなく、本発明の要旨を逸脱しない範囲内で様々に変更可能であることは言うまでもない。
【産業上の利用可能性】
【００５６】
本発明は鑑賞魚水槽に利用可能である。
【符号の説明】
【００５７】
１：観賞魚用水槽
２：水槽本体
１０：水受け板
１１：水受け板の上面
１４：凸条
１９：水受け板の前端縁
２０：濾過器
２４：吸い込み口
２５：吐出口
３０：蓋体
３１：照明具
４０：水槽本体内の水
４０ａ：濾過水
４１：水面
【図１】
0005559084.tif 000002
【図２】
0005559084.tif 000003
【図３】
0005559084.tif 000004
【図４】
0005559084.tif 000005
【図５】
0005559084.tif 000006
【図６】
0005559084.tif 000007
【図７】
0005559084.tif 000008
【図８】
0005559084.tif 000009